(57)【特許請求の範囲】
【請求項１】
発信先の名前情報と読み情報とを関連付けて記憶する電話帳記憶手段と、
１つのキーに１つのグループの文字が割り当てられたダイヤルキーと、カーソルキーとからなる入力手段と、
電話帳表示モードが指定されると、少なくとも複数の五十音の行の代表文字と五十音以外の特定情報を示す文字とを構成要素として含むしおり情報を表示すると共に、この表示されたしおり情報の第１の構成要素を他の第２の構成要素と表示形態を異ならせて表示し、
かつ前記表示されたしおり情報の第１の構成要素に対応するグループの文字から始まる前記読み情報と関連付けられた１つの名前情報を他の名前情報と表示形態を異ならせて表示する第１表示制御手段と、
前記しおり情報及び名前情報が表示された状態で前記第２の構成要素に対応するグループの文字が割り当てられた前記ダイヤルキーが操作された場合に、その１回目の操作に応じて当該操作されたダイヤルキーに対応するグループの文字から始まる前記読み情報と関連付けられた１つの特定の名前情報を選択し、この選択された特定の名前情報を当該名前情報と同一のグループの文字から始まる読み情報に関連付けられた他の名前情報と表示形態を異ならせて表示する第２表示制御手段と、
この状態で前記操作されたダイヤルキーの２回目以降の操作に応じて、操作前に選択された前記特定の名前情報に代えて同一のグループの文字から始まる読み情報に関連付けられた他の名前情報の一つを選択し、この選択された他の名前情報の一つを前記特定の名前情報と表示形態を異ならせて表示する第３表示制御手段と、
前記第３表示制御手段により名前情報が表示された状態で、当該表示された名前情報に関連付けられた読み情報に対応するダイヤルキー以外のダイヤルキーが操作された場合に、当該操作されたダイヤルキーに対応するグループの文字から始まる読み情報と関連付けられた１つの名前情報を操作前に選択されていた名前情報に代えて選択し、この新たに選択された名前情報を当該名前情報と同一のグループの文字から始まる読み情報に関連付けられた他の名前情報と表示形態を異ならせて表示する第４表示制御手段と、
前記名前情報が表示されている状態でカーソルキーの操作がなされると、該操作方向が所定の第１の方向であるかを判定し、前記カーソルキーの操作方向が第１の方向と判定された場合に、該カーソルキーの操作前に前記しおり情報として表示されている第３の構成要素に代えて他の第４の構成要素の１つを選択し、この選択された第４の構成要素の一つをこの選択された第４の構成要素以外の表示されている構成要素と表示形態を異ならせて表示すると共に、前記選択された第４の構成要素に対応するグループの文字から始まる読み情報に関連付けられた名前情報の１つを他の名前情報と表示形態を異ならせて表示する第５表示制御手段と、
前記名前情報が表示されている状態でカーソルキーの操作がなされると、該操作方向が前記第１の方向と異なる第２の方向であるかを判定し、前記カーソルキーの操作方向が第２の方向と判定された場合に、該カーソルキーの操作前に表示されている名前情報に代えて当該名前情報と同一のグループの文字から始まる読み情報に関連付けられた他の名前情報の一つを選択し、この選択された他の名前情報の一つを同時に表示されるその他の名前情報と表示形態を異ならせて表示する第６表示制御手段と、
を具備し、
前記第１の構成要素または前記選択された第４の構成要素が前記五十音以外の特定情報を示す文字である場合、五十音以外の特殊文字から始まる前記読み情報と関連付けられた名前情報の１つを、他の名前情報と表示形態を異ならせて表示する
ことを特徴とする移動通信端末装置。
【請求項２】
発信先の名前情報と、読み情報と、電話番号情報とを関連付けて記憶する電話帳記憶手段と、
電話帳表示モードが指定されると、少なくとも複数の五十音の行の代表文字を構成要素として含むしおり情報を表示すると共に、この表示されたしおり情報の第１の構成要素を他の第２の構成要素と表示形態を異ならせて表示し、
かつ前記表示されたしおり情報の第１の構成要素に対応するグループの文字から始まる前記読み情報と関連付けられた１つの名前情報を他の名前情報と表示形態を異ならせて表示する第１表示制御手段と、
１つのキーに１つのグループの文字が割り当てられたダイヤルキーと、
前記しおり情報及び名前情報が表示された状態で前記第２の構成要素に対応するグループの文字が割り当てられた前記ダイヤルキーが操作された場合に、その１回目の操作に応じて当該操作されたダイヤルキーに対応するグループの文字から始まる前記読み情報と関連付けられた１つの特定の名前情報を選択し、この選択された一つの特定の名前情報を当該名前情報と同一のグループの文字から始まる読み情報に関連付けられた他の名前情報と表示形態を異ならせて表示する第２表示制御手段と、
この状態で前記操作されたダイヤルキーの２回目以降の操作に応じて、操作前に選択された前記一つの特定の名前情報に代えて同一のグループの文字から始まる読み情報に関連付けられた他の名前情報の一つを選択し、この選択された他の名前情報の一つを前記一つの特定の名前情報と表示形態を異ならせて表示する第３表示制御手段と、
前記第３表示制御手段により名前情報が表示された状態で、当該表示された名前情報に関連付けられた読み情報に対応するダイヤルキー以外のダイヤルキーが操作された場合に、当該操作されたダイヤルキーに対応するグループの文字から始まる読み情報と関連付けられた１つの名前情報を操作前に選択されていた名前情報に代えて選択し、この新たに選択された名前情報を当該名前情報と同一のグループの文字から始まる読み情報に関連付けられた他の名前情報と表示形態を異ならせて表示する第４表示制御手段と、
前記名前情報が表示されている状態でカーソルキーの操作がなされると、該操作方向が前記所定の第１の方向であるかを判定し、前記カーソルキーの操作方向が第１の方向と判定された場合に、該カーソルキーの操作前に表示されている名前情報に代えて当該名前情報と同一のグループの文字から始まる読み情報に関連付けられた他の名前情報の一つを選択し、この選択された他の名前情報の一つを同時に表示されるその他の名前情報と表示形態を異ならせて表示する第５表示制御手段と、
前記名前情報の１つが選択された状態で前記ダイヤルキーと異なる所定のキーが押下されると、前記選択された名前情報の一つに加え、該名前情報に関連付けられた電話番号情報を表示する第６表示制御手段と
を具備したことを特徴とする移動通信端末装置。
【請求項３】
発信先の名前情報と、読み情報と、電話番号情報とを関連付けて記憶する電話帳記憶手段と、
電話帳表示モードが指定されると、少なくとも複数の五十音の行の代表文字を構成要素として含むしおり情報を表示すると共に、この表示されたしおり情報の第１の構成要素を他の第２の構成要素と表示形態を異ならせて表示し、
かつ前記表示されたしおり情報の第１の構成要素に対応するグループの文字から始まる前記読み情報と関連付けられた１つの名前情報を他の名前情報と表示形態を異ならせて表示する第１表示制御手段と、
１つのキーに１つのグループの文字が割り当てられたダイヤルキーと、
前記しおり情報及び名前情報が表示された状態で前記第２の構成要素に対応するグループの文字が割り当てられた前記ダイヤルキーが操作された場合に、その１回目の操作に応じて当該操作されたダイヤルキーに対応するグループの文字から始まる前記読み情報と関連付けられた１つの特定の名前情報を選択し、この選択された一つの特定の名前情報を当該名前情報と同一のグループの文字から始まる読み情報に関連付けられた他の名前情報と表示形態を異ならせて表示する第２表示制御手段と、
この状態で前記操作されたダイヤルキーの２回目以降の操作に応じて、操作前に選択された前記特定の名前情報に代えて同一のグループの文字から始まる読み情報に関連付けられた他の名前情報の一つを選択し、この選択された他の名前情報の一つを前記特定の名前情報と表示形態を異ならせて表示する第３表示制御手段と、
前記第３表示制御手段により名前情報が表示された状態で、当該表示された名前情報に関連付けられた読み情報に対応するダイヤルキー以外のダイヤルキーが操作された場合に、当該操作されたダイヤルキーに対応するグループの文字から始まる読み情報と関連付けられた１つの名前情報を操作前に選択されていた名前情報に代えて選択し、この新たに選択された名前情報を当該名前情報と同一のグループの文字から始まる読み情報に関連付けられた他の名前情報と表示形態を異ならせて表示する第４表示制御手段と、
前記名前情報が表示されている状態でカーソルキーの操作がなされると、該操作方向が前記所定の第１の方向であるかを判定し、前記カーソルキーの操作方向が第１の方向と判定された場合に、該カーソルキーの操作前に表示されている名前情報に代えて当該名前情報と同一のグループの文字から始まる読み情報に関連付けられた他の名前情報の一つを選択し、この選択された他の名前情報の一つを同時に表示されるその他の名前情報と表示形態を異ならせて表示する第５表示制御手段と、
前記名前情報の１つが選択された状態で前記ダイヤルキーと異なる所定のキーが押下されると、前記選択された名前情報の一つに加え、該名前情報に関連付けられた複数の電話番号情報をその属性情報と共に表示する第６表示制御手段と
を具備したことを特徴とする移動通信端末装置。
【発明の詳細な説明】
【技術分野】
【０００１】
この発明は、例えば携帯電話システムやＰＨＳ（Personal Handyphone System）で使用する移動通信端末装置に関する。
【背景技術】
【０００２】
近年、携帯電話装置やＰＨＳ端末装置が急速に普及している。そして、この種の移動通信端末装置は使い易さを向上させるために種々機能が設けられており、その機能の一つに電子電話帳がある。
【０００３】
電子電話帳は、例えば個人や会社あるいはグループの名称情報とその電話番号とを相互に対応付けてメモリに記憶したもので、ユーザの操作によって表示器に表示される。そして、ユーザが発信する場合には、表示中の名称情報の中から先ず発信相手の名称情報を選択し、さらにこの名称情報に対応する電話番号を表示させたのちその中から所望の電話番号を選択して発信操作を行うことで、所望の発信宛先に対し発信が行われる。したがって、電話番号の全桁を手入力する場合に比べて簡単かつ迅速に発信を行うことができる。
【０００４】
ところで、電子電話帳への発信先情報の登録数が多くなると、これらの発信先情報を表示器に一括表示することが困難になる。この問題は、特に携帯電話機やＰＨＳ電話機のように表示器が小さい端末にあって顕著である。
【０００５】
そこで従来の装置では、例えば次のような検索手段を採用している。すなわち、電子電話帳に登録されている発信先情報を「あ」「か」「さ」…の行毎に分類する。そして、この分類された発信先情報を例えばカーソルキーの操作により表示器に順にスクロール表示させ、目的とする発信先情報にカーソルが表示されたところで、選択指定キーを操作して発信先を指定するものである（例えば、特許文献１を参照。）。
【特許文献１】特開平９−１８６７６０号公報
【発明の開示】
【発明が解決しようとする課題】
【０００６】
ところが、このような従来の検索手段は、目的の発信先情報を選択指定するためのカーソルの移動操作に手間と時間を要するため、発信先情報の検索操作が面倒である。また、この操作性の問題を改善するものとして、回転操作型の特殊なスイッチを設けることで比較的簡単に発信先情報を検索できるようにしたものもある。しかし、この場合には特殊なスイッチを設けなければならず装置が高価になるという問題点を有している。
【０００７】
この発明は上記事情に着目してなされたもので、その目的とするところは、目的の発信先を簡単かつ短時間にしかも特別な入力手段を設けることなく正確に検索できるようにし、これにより構成が簡単で安価でありながら電話帳の検索操作性の優れた移動通信端末装置を提供することにある。
【課題を解決するための手段】
【０００８】
上記目的を達成するために代表的な発明は、発信先の名前情報、読み情報、及び電話番号情報を関連付けて記憶する電子電話帳を備えた移動通信端末装置において、１つのキーに１つの行の複数の文字が割り当てられたダイヤルキーとカーソルキーとからなる入力手段と、第１表示制御手段と、第２表示制御手段と、第３表示制御手段と、第４表示制御手段と、第５表示制御手段と、第６表示制御手段とを具備する。
【０００９】
第１表示制御手段では、電話帳表示モードが指定されると、少なくとも複数の五十音の行の代表文字と五十音以外の特定情報を示す文字とを構成要素として含むしおり情報を表示すると共に、この表示されたしおり情報の第１の構成要素を他の第２の構成要素と表示形態を異ならせて表示し、かつ上記表示されたしおり情報の第１の構成要素に対応するグループの文字から始まる上記読み情報と関連付けられた１つの名前情報を他の名前情報と表示形態を異ならせて表示する制御が行われる。
【００１０】
第２の表示制御手段では、上記しおり情報及び名前情報が表示された状態で上記第２の構成要素に対応するグループの文字が割り当てられた上記ダイヤルキーが操作された場合に、その１回目の操作に応じて当該操作されたダイヤルキーに対応するグループの文字から始まる上記読み情報と関連付けられた１つの特定の名前情報を選択し、この選択された特定の名前情報を当該名前情報と同一のグループの文字から始まる読み情報に関連付けられた他の名前情報と表示形態を異ならせて表示する制御が行われる。
【００１１】
第３の表示制御手段では、この状態で上記操作されたダイヤルキーの２回目以降の操作に応じて、操作前に選択された上記特定の名前情報に代えて同一のグループの文字から始まる読み情報に関連付けられた他の名前情報の一つを選択し、この選択された他の名前情報の一つを上記特定の名前情報と表示形態を異ならせて表示する制御が行われる。
【００１２】
第４の表示制御手段では、第３表示制御手段により名前情報が表示された状態で、当該表示された名前情報に関連付けられた読み情報に対応するダイヤルキー以外のダイヤルキーが操作された場合に、当該操作されたダイヤルキーに対応するグループの文字から始まる読み情報と関連付けられた１つの名前情報を操作前に選択されていた名前情報に代えて選択し、この新たに選択された名前情報を当該名前情報と同一のグループの文字から始まる読み情報に関連付けられた他の名前情報と表示形態を異ならせて表示する制御が行われる。
第５の表示制御手段では、上記名前情報が表示されている状態でカーソルキーの操作がなされると、該操作方向が所定の第１の方向であるかを判定し、前記カーソルキーの操作方向が第１の方向と判定された場合に、該カーソルキーの操作前に上記しおり情報として表示されている第３の構成要素に代えて他の第４の構成要素の１つを選択し、この選択された第４の構成要素の一つをこの選択された第４の構成要素以外の表示されている構成要素と表示形態を異ならせて表示すると共に、上記選択された第４の構成要素に対応するグループの文字から始まる読み情報に関連付けられた名前情報の１つを他の名前情報と表示形態を異ならせて表示する制御が行われる。
第６の表示制御手段では、上記名前情報が表示されている状態でカーソルキーの操作がなされると、該操作方向が前記第１の方向と異なる第２の方向であるかを判定し、上記カーソルキーの操作方向が第２の方向と判定された場合に、該カーソルキーの操作前に表示されている名前情報に代えて当該名前情報と同一のグループの文字から始まる読み情報に関連付けられた他の名前情報の一つを選択し、この選択された他の名前情報の一つを同時に表示されるその他の名前情報と表示形態を異ならせて表示する制御が行われる。
【００１３】
そして、記第１の構成要素または上記選択された第４の構成要素が上記五十音以外の特定情報を示す文字である場合、五十音以外の特殊文字から始まる上記読み情報と関連付けられた名前情報を表示するようにしたものである。
【発明の効果】
【００１４】
したがってこの発明によれば、目的の発信先を簡単かつ短時間にしかも特別な入力手段を設けることなく正確に検索できるようにし、これにより構成が簡単で安価でありながら電話帳の検索操作性の優れた移動通信端末装置を提供することができる。
【発明を実施するための最良の形態】
【００１５】
図１は、この発明の一実施形態に係わる移動通信端末装置が使用されるシステムの概略構成図であり、ＣＳ１〜ＣＳｎはＰＨＳ基地局を、またＰＳ１〜ＰＳｍは移動通信端末装置をそれぞれ示している。
【００１６】
各ＰＨＳ基地局ＣＳ１〜ＣＳｎは、例えば図２に示すようにＰＨＳのサービスエリアに地理的に分散配設されており、隣接する数台ごとに一斉呼び出しエリアＥ１，Ｅ２，Ｅ３，…を形成している。各ＰＨＳ基地局ＣＳ１〜ＣＳｎには、無線回線を介して移動通信端末装置ＰＳ１〜ＰＳｍが接続される。その際、ＰＨＳ基地局ＣＳ１〜ＣＳｎと移動通信端末装置ＰＳ１〜ＰＳｍとの間の無線アクセス方式には、ＴＤＭＡ−ＴＤＤ方式が使用される。
【００１７】
一方、上記各ＰＨＳ基地局ＣＳ１〜ＣＳｎは公衆網ＩＮＷにそれぞれ接続される。公衆網ＩＮＷは、ＩＳＤＮと、このＩＳＤＮに上記各ＰＨＳ基地局ＣＳ１〜ＣＳｎを収容するためのＩ′インタフェース網とを有する。
【００１８】
公衆網ＩＮＷには、パソコン通信事業者のアクセス・サーバＡＳが接続される。このアクセス・サーバＡＳには、パソコン通信事業者のコンテンツ・サーバＴＳが接続される。このコンテンツ・サーバＴＳは、加入者に対するニュースや天気予報などの各種サービス情報のダウンロードや、メールサービス等を行うために用いられる。
【００１９】
また上記アクセス・サーバＴＳは、インターネットＩＴＮに接続される。インターネットＩＴＮには多数のＷＷＷ（World-Wide Web）サーバＷＳ１，ＷＳ２，…が接続されている。移動通信端末装置ＰＳ１〜ＰＳｍは、公衆網ＩＮＷおよびアクセス・サーバＡＳを介して上記ＷＷＷサーバＷＳ１，ＷＳ２，…にアクセスすることで、所望のインターネット情報を取得することができる。
【００２０】
さらに上記公衆網ＩＮＷには選択呼出制御局ＳＣＳが接続され、この選択呼出制御局ＳＣＳには複数の選択呼出基地局ＢＳ１〜ＢＳｉが接続されている。選択呼出制御局ＳＣＳは、公衆網ＩＮＷに接続された有線電話機（図示せず）または移動通信端末装置ＰＳ１〜ＰＳｍから選択呼出受信機ＰＢに対する呼び出し要求が到来した場合に、基地局ＢＳ１〜ＢＳｉから呼出信号を送信させて選択呼出受信機ＰＢを呼び出す。また同時に呼び出し元の有線電話機または移動通信端末装置ＰＳ１〜ＰＳｍからメッセージ情報が送信された場合には、このメッセージ情報を上記呼出信号に挿入して送信させる。
【００２１】
ところで、移動通信端末装置ＰＳ１〜ＰＳｍは次のように構成される。図３はその外観を示す正面図である。
【００２２】
装置の操作パネル上には、キー入力部５３および表示部５４がそれぞれ配設してある。キー入力部５３は、ダイヤルキーパッド５３１と、４接点形のカーソルキー５３２と、イエスキー５３３と、ノウキー５３４と、オンフックキー５３５と、オフフックキー５３６と、メニューキー５３７とから構成される。また表示部５４は液晶（ＬＣＤ）表示器からなる。なお、１１はアンテナ、４３は受話用のスピーカ、４４は送話用のマイクロホンである。
【００２３】
一方、図６は移動通信端末装置ＰＳ１〜ＰＳｍの回路構成を示すブロック図である。移動通信端末装置ＰＳ１〜ＰＳｍは、無線部１と、モデム部２と、ＴＤＭＡ部３と、通話部４とを備え、さらに制御部５およびメモリ部６を備えている。なお、７は電源部であり、バッテリ７１と、その出力を基に所定の動作電圧を生成する電源回路７２とからなる。
【００２４】
ＰＨＳ基地局ＣＳ１〜ＣＳｎから到来した無線搬送波信号は、アンテナ１１で受信されたのち無線部１の高周波スイッチ（ＳＷ）１２を介して受信回路（ＲＸ）１３に入力される。この受信回路１３では、上記受信された無線搬送波信号が周波数シンセサイザ１４から発生された局部発振信号とミキシングされて受信中間周波信号または受信ベースバンド信号に周波数変換される。なお、上記周波数シンセサイザ１４から発生される局部発振周波数は制御部５から指示されたチャネル情報に従う。また、無線部１には受信電界強度検出器（ＲＳＳＩ）１６が設けられている。このＲＳＳＩ検出器１６では、ＰＨＳ基地局ＣＳ１〜ＣＳｎから到来した無線搬送波信号の受信電界強度が検出され、その検出値（ＲＳＳＩ）は無線通信チャネルの空きを判定するために制御部５に通知される。
【００２５】
上記受信回路１３から出力された受信中間周波信号または受信ベースバンド信号は、モデム部２のディジタル復調回路（ＤＥＭ）２１に入力される。ディジタル復調回路２１では上記受信中間周波信号または受信ベースバンド信号のディジタル復調が行なわれ、これによりＴＤＭＡ信号が再生される。
【００２６】
ＴＤＭＡ部３のＴＤＭＡデコード回路３１は、制御部５の指示に従い、上記ディジタル復調回路２１から出力されたＴＤＭＡ信号から、自局に割り当てられたタイムスロットに挿入されている制御データ又はディジタル通話信号を分離する。このうち制御データは制御部５に取り込まれ、制御部５はこの制御データをもとに呼制御等を行う。例えば、制御データが自己宛の着信メッセージだった場合には、サウンダ５１又はバイブレータ５２を駆動して着信報知を行う。
【００２７】
これに対しディジタル通話信号は通話部４に入力される。通話部４は、ＡＤＰＣＭトランスコーダ４１と、ＰＣＭコーデック４２とからなる。ＡＤＰＣＭトランスコーダ４１では、上記ディジタル通話信号の復号処理が行なわれる。ＰＣＭコーデック４２では、上記復号されたディジタル通話信号がアナログ通話信号に変換される。そして、このアナログ通話信号は図示しない受話増幅器で増幅されたのち受話用のスピーカ４３から出力される。
【００２８】
これに対し、送話用のマイクロホン４４に入力された送話音声信号は、通話部４において、図示しない送話増幅器で増幅されたのち、ＰＣＭコーデック４２でディジタル送話信号に変換される。そして、このディジタル送話信号はＡＤＰＣＭトランスコーダ４１で符号化処理が施されたのち、ＴＤＭＡ部３のＴＤＭＡエンコード回路３２に入力される。
【００２９】
このＴＤＭＡエンコード回路３２では、上記ＡＤＰＣＭトランスコーダ４１から出力されたディジタル通話信号が、ＴＤＭＡ信号の各スロットのうち自己に割り当てられた送信チャネルスロットに挿入される。ＴＤＭＡエンコード回路３２で作成されたＴＤＭＡ信号はディジタル変調回路（ＭＯＤ）２２に入力される。なお、制御部５から出力された制御データも、ＴＤＭＡエンコード回路３２においてＴＤＭＡ信号中の制御チャネルスロットに挿入された後、ディジタル変調回路２２に入力される。ディジタル変調回路２２では、上記ＴＤＭＡ信号を基に中間周波信号ディジタル変調が行われ、その変調波信号は無線部１の送信回路（ＴＸ）１５に入力される。
【００３０】
送信回路１５は、上記変調波信号をシンセサイザ１４から発生された局部発振信号とミキシングすることにより無線搬送波周波数にアップコンバートし、さらに所定の送信電力レベルに増幅する。そして、この無線搬送波信号を高周波スイッチ１２を介してアンテナ１１からＰＨＳ基地局に向け送信する。
【００３１】
また、本実施形態の移動通信端末装置ＰＳ１〜ＰＳｍは、他の移動通信端末装置ＰＳ１〜ＰＳｍとの間でショートメールの送受信を行ったり、パソコン通信事業者のコンテンツ・サーバＴＳやインターネットＩＴＮ上のＷＷＷサーバＷＳ１，ＷＳ２，ＷＳ３との間で情報データの送受信を行う機能を備えている。
【００３２】
すなわち、送信ショートメールまたは送信情報データは、ユーザのキー入力操作により制御部５において作成される。この作成された送信ショートメール又は送信情報データは、制御部５からデータＩ／Ｆ５６介してＴＤＭＡエンコード回路３２に入力され、ここで自己に割り当てられた送信チャネルスロットに挿入される。そして、以後音声通信の場合と同様に、ディジタル変調回路２２で変調されたのち、送信回路１５からアンテナ１１を介して送信される。
【００３３】
これに対し移動通信端末装置ＰＳ１〜ＰＳｍあるいはコンテンツ・サーバＴＳから送られたショートメール又は情報データは、アンテナ１１介して受信回路１１で受信されたのち、ディジタル復調回路２１で復調されてＴＤＭＡデコード回路３１に入力される。そして、このＴＤＭＡデコード回路３１でＴＤＭＡ信号から分離されたのちデータＩ／Ｆ５６を介して制御部５に取り込まれ、この制御部５の制御によりメモリ部６１のメール記憶領域に蓄積されるとともに表示部５４に表示される。
【００３４】
さらに本実施形態の移動通信端末装置ＰＳ１〜ＰＳｍは、選択呼出受信機ＰＢに対する呼び出し機能およびメッセージの送信機能も備えている。すなわち、送信メッセージはユーザのキー入力操作により制御部５において作成される。そして、そのメッセージデータは、送信時に制御部５においてＤＴＭＦ発生用の制御データに変換されて、ＤＴＭＦ発生回路５５に与えられる。ＤＴＭＦ発生回路５５は、上記制御データに応じてＤＴＭＦ信号を発生し、このＤＴＭＦ信号をＰＣＭコーデック４２に入力する。以後送話音声信号と同様に、上記ＤＴＭＦ信号はＰＣＭコーデック４２およびＡＤＰＣＭトランスコーダ４１で符号化された後、ＴＤＭＡエンコード回路３２で送信チャネルスロットに挿入され、しかるのちディジタル変調回路２２で変調信号に変換されて送信回路１５からアンテナ１１を介して送信される。
【００３５】
ところで、メモリ部６には電話帳を記憶するための領域（電話帳メモリ）６１が設けられている。図５はその構成を示すものである。すなわち、電話帳メモリ６１は、名称情報を記憶する第１の記憶領域６１ａと、ディレクトリ情報を記憶する第２の記憶領域６１ｂとから構成される。さらに、これらの記憶領域６１ａ，６１ｂは、「あ」「か」「さ」…の各行に対応付けて設けられた複数の一般フォルダと、特定の発信先情報を格納する１個の特定フォルダと、名前の頭文字が英数字により構成される発信先情報を格納する１個の英数字フォルダとに分けられている。
【００３６】
第１の記憶領域６１ａには、発信相手の名前を格納する欄と、表示用読みを格納する欄が設けてあり、これらの欄に発信先の名前とそのふりがなが相互に対応付けて記憶される。名前は漢字を含む文字列により構成される。表示用読みはひらがなの文字列により構成される。
【００３７】
第２の記憶領域には、発信相手の電話番号が上記名前および表示用読みに対応付けて記憶される。なお、発信相手がパソコン通信端末やサーバの場合にはそのアドレスが記憶される。これらの電話番号およびアドレス情報はディレクトリ情報と称される。このディレクトリ情報は、各名称毎に複数個登録することも可能である。
【００３８】
制御部５は、例えばマイクロコンピュータを主制御部として有したもので、この発明に係わる主な制御機能として、電話帳登録制御手段５ａと、しおり表示制御手段５ｂと、電話帳表示制御手段５ｃとを備えている。
【００３９】
電話帳登録制御手段５ａは、電話帳登録モードにおいてキー入力操作により入力された発信相手の名前、その表示用読みおよび電話番号を上記電話帳メモリ６１に格納するもので、その際表示用読みをキーとして上記各入力情報を「あ」「か」「さ」…の各行フォルダに分けて格納する。また、表示用読みの先頭位置にひらがな又はカタカナ以外の特殊文字が付加されている場合には、これに対応する入力情報を特定フォルダに格納する。さらに、名前の頭文字が英数字により構成される発信先情報は、英数字フォルダに格納する。
【００４０】
しおり表示制御手段５ｂは、上記電話帳メモリ６１に設けられた特定フォルダ、英数字フォルダおよび複数の一般フォルダをそれぞれ表すしおりを、電話帳表示モードにおいて表示部５４に表示させる。しおりは、例えば図９に示すように「Ｖ」「あ」「か」「さ」「た」「な」「は」「ま」「や」「ら」「わ」「英」からなる１２文字により構成される。
【００４１】
電話帳表示制御手段５ｃは、電話帳表示モードにおいて、表示中のしおりおよび発信者情報を、ダイヤルキーパッド５３１の各キーとカーソルキー５３２との組み合わせ操作に応じて、上記電話帳メモリ６１に格納された発信先情報を対応するフォルダから選択的に読み出して表示部５４に表示させる。
【００４２】
次に、以上のように構成された装置の動作を説明する。  
先ず電話帳への発信先情報の登録は次のように行われる。図６はその制御手順および制御内容を示すフローチャートである。すなわち、電話帳登録モードにおいて、制御部５は先ずステップ６ａで表示用読みの入力を待ち、この状態でユーザが表示用読みをキー入力すると、ステップ６ｂでこの入力された表示用読みをバッファの表示用読みエリアに取り込む。制御部５は、次にステップ５ｃで名前の入力を待ち、この状態でユーザが名前を入力すると、この入力された名前をステップ６ｄでバッファの名前エリアに取り込む。さらに、ステップ６ｆで電話番号の入力を待ち、ここでユーザが電話番号あるいはアドレスを入力すると、これらをステップ６ｇでバッファの電話番号エリアに取り込む。
【００４３】
これに対し、ユーザが名前の入力操作を飛び越して電話番号を入力したとする。この場合制御部５は、名前の入力を省略したものと判断してステップ６ｅに移行し、ここでバッファの名前エリアに、先に入力された表示用読みを格納する。そして、ステップ６ｇでユーザが入力した電話番号あるいはアドレスをバッファの電話番号エリアに取り込む。
【００４４】
なお、登録すべき電話番号が複数あるときには、上記ステップ６ｆおよびステップ６ｇの処理が繰り返される。そうして電話番号の入力が終了し、ユーザが登録のためのキー操作を行うと、制御部５はステップ６ｈでこの操作を検出して、以後電話帳メモリ６１への上記入力情報の格納処理を行う。
【００４５】
すなわち、制御部５は先ずステップ６ｉで、上記入力された表示用読みに特殊文字が付加されているか否かを判定する。そして、付加されていた場合には、ステップ６ｊに移行してここで上記バッファ内の入力情報を特定フォルダに格納する。例えば、図５に示す（＠おおさかいちろう）または（＊とうきょうはなこ）のように、入力された表示用読みの先頭に特殊文字である＠や＊が付加されていた場合には、このときの入力情報を特定フォルダに格納する。
【００４６】
これに対し、表示用読みの先頭位置に特殊文字が付加されていなければ、ステップ６ｋに移行して、ここでバッファの入力情報を該当する行フォルダに格納する。例えば、図５に示す（あおき○お）は「あ」行のフォルダに、また（かわかみ×お）は「か」行のフォルダにそれぞれ振り分けられて格納される。
【００４７】
さらに、先に述べたように名前の入力が省略された場合には、名前の欄に表示用読みが格納される。例えば、図５に示す（あさいじろう）および（きたもと○お）は、これらの表示用読みがそのまま名前として名前の欄に格納される。
【００４８】
そして、最後に制御部５は、ステップ６ｌにおいて電話帳メモリ６１の、上記新たに入力情報を格納したフォルダを表示用読みをキーにして五十音順にソートする。かくして、電話帳メモリ６１への発信先情報の登録は終了する。
【００４９】
次に、上記電話帳メモリ６１から所望の発信先情報を検索する際の表示制御動作について説明する。図８はその制御手順および制御内容を示すフローチャートである。
【００５０】
電話帳表示モードが指定されると、制御部５はまずステップ８ａにおいて、表示部５４にしおりを表示させるとともに、発信先情報の先頭部分、つまり特定フォルダの発信先情報を電話帳メモリ６１から読み出して表示させる。このとき、しおりのフォーカスは特定フォルダの「Ｖ」に当て、また発信先情報のフォーカスは先頭の情報に当てる。図９にその表示結果の一例を示す。
【００５１】
さてこの状態で、ユーザがカーソルキー５３２を左右方向に操作したとする。そうすると制御部５は、ステップ８ｂで操作キーがカーソルキーであると判定したのち、ステップ８ｃでその操作方向を判定して、ステップ８ｄに移行する。そして、このステップ８ｄでしおり上のフォーカスを移動させ、しかるのちステップ８ｅで移動先の文字に対応する行のフォルダの先頭から発信先情報を読み出して表示部５４に表示させる。
【００５２】
そして、所望の行の発信先情報が表示された状態で、ユーザがカーソルキー５３２を上下方向に操作したとする。そうすると、制御部５はステップ８ｃからステップ８ｆに移行し、ここで表示中の発信先情報のフォーカスを上下方向に移動させる。このときフォーカスが最下段の発信先情報に当たっている状態でカーソルキー５３２をさらに下方向に操作した場合には、上記最下段の発信先情報に続く未表示の発信先情報が読み出されてスクロール表示される。
【００５３】
そして、このカーソルキー５３２の上下方向の操作により所望の発信先情報が表示され、この発信先情報にフォーカスが当たった状態でユーザがイエスキー５３３を押すと、この発信先情報の詳細情報が電話帳メモリ６１から読み出されて表示部５４に表示される。図１０および図１１はその表示結果の一例を示すもので、「あ」行の発信先情報の一つを選択した場合のものである。  
かくして、カーソルキー５３２の操作に応じた発信先情報の検索が行われる。
【００５４】
一方、本実施形態の装置は、ダイヤルキーパッド５３１の各キーとカーソルキー５３２との組み合わせ操作によって、所望の発信先情報の検索表示が可能である。
【００５５】
すなわち、電話帳メモリ６１の各行フォルダには、ダイヤルキーパッド５３１の各キーが予め一対一に対応付けられている。図７はその対応関係の一例を示すものである。この対応関係を表すテーブルはメモリ部６に記憶されている。
【００５６】
いまユーザが、所望の発信先情報が含まれる行に対応付けられた数字キーを操作したとする。そうすると、制御部５はステップ８ｂで操作キーが数字キーであると判定したのちステップ８ｇに移行し、このステップ８ｇで上記操作された数字キーに対応する行フォルダの先頭から発信先情報を読み出して表示部５４に表示させる。
【００５７】
例えば、ユーザが数字キー“３”を押した場合には、図７に示した対応テーブルを基に、数字キー“３”に対応する行フォルダが「さ」行のフォルダであることを認識し、この「さ」行フォルダの先頭から発信先情報を読み出して表示部５４に表示させる。同様に、数字キー“７”を押した場合には、これに対応する「ま」行のフォルダが選択されて、この「ま」行のフォルダの先頭から発信先情報を読み出して表示部５４に表示させる。  
すなわち、各行の発信先情報の検索表示が、対応する数字キーの１回の押し操作で簡単かつ短時間に行いうる。
【００５８】
またユーザが、表示中の行フォルダに対応する数字キーを再度押したとする。そうすると、制御部５はステップ８ｈで操作キーが前回と同じ数字キーであると判定するとステップ８ｉに移行し、ここで表示中の行の発信先情報の表示開始位置を次の段にスキップする。例えば、「さ」行の発信先情報が表示されている状態で、数字キー“３”が再度押されたとする。この場合には、「さ」行の二段目、つまり名前の頭文字が「し」で始まる発信先情報が読み出されて表示される。
【００５９】
また同じ数字キー“３”が三度押されると、制御部５はステップ８ｊでこれを検出してステップ８ｉに戻り、ここで「さ」行の三段目、つまり名前の頭文字が「す」で始まる発信先情報を読み出して表示させる。以下同様に、同じ数字キーが１回押される毎に「さ」行の発信先情報の表示開始位置が順次次の段にスキップされる。なお、最高段の発信先情報が表示されている状態で、さらに同じ数字キーが操作された場合には、表示位置が一段目の発信先情報の先頭に戻る。すなわち、各行内での段位置の検索も、数字キーの再操作により簡単かつ短時間に行いうる。
【００６０】
そうして所望の行の所望の発信先情報が表示され、この情報にフォーカスを当てるべくカーソルキー５３２を上下方向に操作すると、制御部５はステップ８ｈまたは８ｊからステップ８ｃを介してステップ８ｆに移行し、ここでフォーカスの位置を前後に移動させる。そして、所望の発信先情報にフォーカスが当たった状態でユーザがイエスキー５３３を押すと、この発信先情報の詳細情報が電話帳メモリ６１から読み出されて表示部５４に表示される。
【００６１】
なお、任意の行の発信先情報が表示されている状態で、表示中の行に対応しない他の数字キーが操作された場合には、制御部５はステップ８ｈ又は８ｊからステップ８ｇに戻り、ここで上記操作された数字キーに対応する行フォルダの先頭から発信先情報を読み出して表示する。  
かくしてダイヤルキーパッド５３１の各キーとカーソルキー５３２との組み合わせ操作に応じた発信先情報の検索が行われる。
【００６２】
以上述べたようにこの実施形態では、電話帳メモリ６１の各行フォルダを表すしおりを作成して表示部５４に表示させるとともに、上記しおりの各文字にダイヤルキーパッド５３１の各キーに対応付けておき、この数字キーが操作された場合に、対応する行フォルダの先頭から発信先情報を読み出して表示部５４に表示するようにしている。このため、所望の発信先情報が含まれる行の検索を、数字キーのただ１回の操作により行うことが可能となり、これにより所望の発信先情報を簡単にかついち早く検索することができる。
【００６３】
また、表示中の行に対応する数字キーが続けて押された場合には、その操作回数に応じて、表示中の行の発信先情報の二段目以降の段、例えば「さ」行であれば「し」「す」「せ」…の各段の頭出しを行うようにしている。このため、数字キーの操作によって、各行の検索に加えて、行内の各段の検索も簡単かつ短時間に行うことができる。
【００６４】
さらに本実施形態では、カーソルキー５３２の操作により、しおり上のフォーカスの移動および発信先情報上のフォーカスの移動を１ステップずつ行えるようにしているので、細かな検索も行うことができる。
【００６５】
すなわち、この実施形態の装置によれば、ダイヤルキーパッド５３１の各キーと、カーソルキー５３２との組み合わせ操作により、所望の発信先情報を少ない操作数で簡単かつ短時間にしかも正確に検索することができる。
【００６６】
なお、この発明は上記実施形態に限定されるものではない。例えば、上記実施形態では、しおりの各文字にダイヤルキーパッド５３１の各キーを対応付け、このキーが操作された場合に、しおり上のフォーカス位置を移動させるとともに対応する行フォルダの発信先情報を読み出して表示するようにした。これに限らず、各行を構成する複数の段にダイヤルキーパッド５３１の各キーを対応付け、ダイヤルキーパッド５３１のキーが操作された場合に、表示中の行の対応する段にスキップしてその頭出し行うように構成してもよい。
【００６７】
また、前記実施形態では、しおりの各文字つまり各行フォルダに対し、図７に示すようにダイヤルキーパッド５３２の各キーを順に対応付けたが、各行フォルダのうち検索頻度が最も高い行フォルダに最も覚えやすいキー、例えば“１”を割り当てるようにしてもよい。要するに、各行フォルダに対するダイヤルキーパッド５３２の各キーの対応付けを、ユーザの希望に応じて任意に設定するための機能を設けるようにしてもよい。
【００６８】
さらに前記実施形態では、しおりに掲載する各行の代表文字を「あ」「か」「さ」…のように第一段目の文字としたが、二段目以降の文字であってもよい。また、前記実施形態では五十音表の各行毎に発信先情報を分類したが、各列毎に発信先情報を分類してもよい。この場合、しおりには各列の代表文字が掲載される。
【００６９】
その他、しおりの構成、電話帳メモリの構成、電話帳登録制御手段および電話帳表示制御手段の制御手順とその制御内容、移動通信端末装置の種類とその構成などについても、この発明の要旨を逸脱しない範囲で種々変形して実施できる。
【図面の簡単な説明】
【００７０】
【図１】この発明の一実施形態に係わる移動通信端末装置が使用されるシステムの一例を示す概略構成図。
【図２】図１に示したシステムにおけるＰＨＳ基地局の配置例を示す図。
【図３】この発明の一実施形態に係わる移動通信端末装置の外観を示す正面図。
【図４】この発明の一実施形態に係わる移動通信端末装置の回路構成を示すブロック図。
【図５】図４に示した装置の電話帳メモリの構成を示す図。
【図６】図４に示した装置の電話帳登録制御手段の制御手順および制御内容を示すフローチャート。
【図７】しおりに代表文字が表示される各行フォルダとダイヤルキーパッドとの対応関係を示す図。
【図８】図４に示した装置の電話帳表示制御手段の制御手順および制御内容を示すフローチャート。
【図９】しおりおよび発信先情報の表示結果の一例を示す図。
【図１０】発信先情報の詳細情報の表示例を示す図。
【図１１】発信先情報の詳細情報の表示例を示す図。
【符号の説明】
【００７１】
ＣＳ１〜ＣＳｎ…ＰＨＳ基地局、ＰＳ１〜ＰＳｍ…移動通信端末装置、ＩＮＷ…公衆網、ＩＴＮ…インターネット、ＷＳ１，ＷＳ２，ＷＳ３…ＷＷＷサーバ、ＡＳ…パソコン事業者のアクセス・サーバ、ＴＳ…パソコン事業者のコンテンツ・サーバ、Ｅ１，Ｅ２，Ｅ３…ローカルエリア、ＳＣＳ…選択呼出制御局、ＢＳ１〜ＢＳｉ…選択呼出基地局、ＰＢ…選択呼出受信機、１…無線部、２…モデム部、３…ＴＤＭＡ部、４…通話部、５…制御部、５ａ…電話帳登録制御手段、５ｂ…しおり表示制御手段、５ｃ…電話帳表示制御手段、６…メモリ部、７…電源部、１１…アンテナ、１２…高周波スイッチ（ＳＷ）、１３…受信部（ＴＸ）、１４…シンセサイザ、１５…送信部（ＴＸ）、１６…受信電界強度検出部（ＲＳＳＩ）、２１…復調部（ＤＥＭ）、２２…変調部（ＭＯＤ）、３１…ＴＤＭＡデコード回路、３２…ＴＤＭＡエンコード回路、４１…ＡＤＰＣＭトランスコーダ、４２…ＰＣＭコーデック、４３…スピーカ、４４…マイクロホン、５１…サウンダ、５２…バイブレータ、５３…キー入力部、５４…表示部、５５…ＤＴＭＦ発生回路、５６…データインタフェース部（データＩ／Ｆ）、６１…電話帳メモリ、６１ａ…第１の記憶領域、６１ｂ…第２の記憶領域、７１…バッテリ、７２…電源回路、５３１…ダイヤルキーパッド、５３２…カーソルキー、５３３…イエスキー、５３４…ノウキー、５３５…オンフックキー、５３６…オフフックキー、５３７…メニューキー。
【図１】
0004817734.tif 000002
【図２】
0004817734.tif 000003
【図３】
0004817734.tif 000004
【図４】
0004817734.tif 000005
【図５】
0004817734.tif 000006
【図６】
0004817734.tif 000007
【図７】
0004817734.tif 000008
【図８】
0004817734.tif 000009
【図９】
0004817734.tif 000010
【図１０】
0004817734.tif 000011
【図１１】
0004817734.tif 000012